(57)【要約】【課題】  家庭において安全に実施することができると共に、三次元的に湾曲させることが可能であり、出来上った製品は風合が良好で折れたり白化したりすることがなく、いろいろと変化に富んだ作品を作ることのできる手芸用の素材を提供することを目的とする。【解決手段】  クレープ紙を、当該クレープ紙のクレープ方向が若干の角度をもって交差するように重ね合わせ、これを硬化性シリコーン樹脂液により接着硬化せしめる。クレープ師の角度は５〜３０度が適当である。【選択図】          図１
2010242252.tif 000002
【特許請求の範囲】
【請求項１】
クレープ紙（２ａ、２ｂ）を、当該クレープ紙（２ａ、２ｂ）のクレープ方向が若干の角度をもって交差するように重ね合わせ、これを硬化性シリコーン樹脂液（３）により接着硬化せしめたことを特徴とする、手芸用素材
【請求項２】
前記クレープ紙（２ａ、２ｂ）を、５〜３０度の角度をもって交差するように重ね合わせたことを特徴とする、請求項１に記載の手芸用素材
【請求項３】
クレープ紙（２ａ、２ｂ）のうちの上側のクレープ紙（２ａ）を、下側のクレープ紙（２ｂ）と同一のクレープ方向から反時計方向に回転させて重ね合わせたことを特徴とする、請求項１又は２に記載の手芸用素材
【請求項４】
硬化性シリコーン樹脂液（３）が、市販の一液型シリコーン系シーラントを１００部に対し、エチルアルコールを３０〜６０部添加したものであることを特徴とする、請求項１に記載の手芸用素材
【発明の詳細な説明】
【技術分野】
【０００１】
本発明は、手芸として造花や袋物などの手芸作品を作るための、シート状の成形用素材に関するものである。
【背景技術】
【０００２】
従来造花としては、いわゆるホンコンフラワーなどのような、プラスチックの成型品を組合わせたものが広く知られているが、色彩や形状に変化が乏しく、必ずしも美観に優れたものとは言えなかった。
【０００３】
そこで手芸などの分野においては、紙や布を花弁や葉の形状に裁断して造花素材とし、これを着色し、所望の構造に組合わせて変化に富んだ造花を形成することが行われている。そしてその花弁や葉の風合を良くするために、造花素材にろうを塗布することが行われている。
【０００４】
しかしながらろうを塗布した造花素材は、風合は相当に改善されるものの、硬くなって花弁や葉を曲げると折れることがあり、また長期間放置すると劣化して、ひゞ割れたり白化したりすることがある。
【０００５】
また造花素材にろうを塗布するためには、ろうを加熱して熔融する必要があり、熔融したろうは発火する可能性もあり、また火傷をする可能性もあり、家庭などにおいて手芸の分野で実施するには安全性の点で問題がある。
【０００６】
また造花素材として紙や布が使用されることが多いが、これらの素材は平面状の部分品を作るのには適しているが、三次元的に湾曲させることは困難である。ニットやクレープ紙を使用することにより三次元的に湾曲させることも可能ではあるが、力を除くと歪が回復して形状を保持することができない。
【先行技術文献】
【特許文献】
【０００７】
【特許文献１】特開昭６０−１１０９７６号公報
【特許文献２】特開平６−１４６１０４号公報
【発明の概要】
【発明が解決しようとする課題】
【０００８】
本発明はかかる事情に鑑みなされたものであって、家庭において安全に実施することができると共に、三次元的に湾曲させることが可能であり、出来上った製品は風合が良好で折れたり白化したりすることがなく、いろいろと変化に富んだ作品を作ることのできる手芸用の素材を提供することを目的とするものである。
【課題を解決するための手段】
【０００９】
而して本発明は、クレープ紙を、当該クレープ紙のクレープ方向が若干の角度をもって交差するように重ね合わせ、これを硬化性シリコーン樹脂液により接着硬化せしめたことを特徴とするものである。
【００１０】
本発明においては、前記クレープ紙を、５〜３０度の角度をもって交差するように重ね合わせることが好ましい。またこれらのクレープ紙のうちの上側のクレープ紙を、下側のクレープ紙と同一のクレープ方向から、反時計方向に回転させて重ね合わせることが好ましい。
【００１１】
また本発明における前記硬化性シリコーン樹脂液としては、市販の一液型シリコーン系シーラントを１００部に対し、エチルアルコールを３０〜６０部添加したものを使用することが好ましい。
【発明の効果】
【００１２】
本発明はクレープ紙を重ね合わせて硬化性シリコーン樹脂液で接着硬化したものであるので、ろうを使用する場合のように加熱を必要とせず、火傷や発火の恐れもなく、家庭において安全に実施することができ、また素材自体が柔軟であるので白化したり折れたりすることもない。
【００１３】
また伸縮性を有するクレープ紙と軟質のシリコーン樹脂液よりなるので、柔軟であって伸縮性を有しており、また局部的に強く引き伸ばすことにより歪を残し、三次元的に湾曲した形状を形成することができ、またその形状を安定して保持することができ、手芸用素材として変化に富んだ作品を製作することができる。
【図面の簡単な説明】
【００１４】
【図１】本発明の手芸用素材の平面図。
【図２】本発明を使用した作品の一例としての造花の正面図。
【発明を実施するための形態】
【００１５】
図１は本発明の手芸用素材１を示すものであって、２ａ及び２ｂはクレープ紙であり、二枚のクレープ紙２ａ、２ｂを、上側のクレープ紙２ａを下側のクレープ紙２ｂに対してクレープの方向が反時計方向に約１５度回転させた状態で重ね合わせ、その両クレープ紙２ａ、２ｂを硬化性シリコーン樹脂液３で接着硬化させたものである。
【００１６】
クレープ紙２ａ、２ｂは通常の市販のクレープ紙をそのまま使用することができる。そしてそのクレープ紙２ａ、２ｂをクレープの方向が交差した状態で重ね合わせるのであるが、その交差角度は５〜３０度とするのが好ましい。
【００１７】
交差角度が５度未満であると、二枚のクレープ紙２ａ、２ｂのクレープ方向が変わらないため、その弾力により変形が回復しやすく、また３０度を超えると一方のクレープ紙による伸縮性が他方のクレープ紙により阻害されるため、素材としての伸縮性に劣る。クレープ方向の交差角度は１０〜１５度とするのがさらに好ましい。
【００１８】
また二枚のクレープ紙２ａ、２ｂの交差方向は、上側のクレープ紙２ａが下側のクレープ紙２ｂに対して、同一のクレープ方向から反時計方向に回転させた状態で重ね合わせるのが好ましい。これによりより深い凹凸を形成することができ、より立体性に富んだ作品とすることができる。この理由は必ずしも明確ではないが、人の利き手の方向と関係があるのではないかと思われる。
【００１９】
また二枚のクレープ紙２ａ、２ｂを接着するのには、柔軟な硬化性シリコーン樹脂液３を使用する。当該硬化性シリコーン樹脂液３をクレープ紙２ａ、２ｂに塗布して接合し、樹脂液を硬化させて接着する。
【００２０】
樹脂液の形態としては、硬化性シリコーン樹脂を水又はアルコールに分散させたエマルジョンが好ましい。かかるエマルジョンとしては、接着性を有する一液型シリコーン系シーラント（例えばセメダイン社製ＰＯＳシール）として市販されているものを使用することができる。またこれらの市販のシーラントを、シーラント１００部に対して３０〜６０部のエチルアルコールで希釈して粘度を調整することもできる。
【００２１】
本発明によれば、二枚のクレープ紙２ａ、２ｂを硬化性シリコーン樹脂液３で接着効果させているので、クレープ紙２ａ、２ｂによる幅方向の伸縮性を保持しており、変形が可能であるとともに、局部的に幅方向に強く伸長することにより硬化性シリコーン樹脂に歪みを残し、三次元的な湾曲を形成し、立体的な作品を製作することができる。
【００２２】
また二枚のクレープ紙２ａ、２ｂのクレープ方向を若干の角度をもって交差させているので、局部的に幅方向に引っ張り力を作用させた時に、二枚のクレープ紙２ａ、２ｂの伸長方向が異なり、その間を接着した硬化性シリコーン樹脂に大きな歪みがかかり、その歪みが残り易いので、過度に大きな力を必要とすることなく、手芸用素材１を三次元的に湾曲させることができる。
【００２３】
本発明の手芸用素材１は、これを製作する作品の部品の形状に合わせて裁断し、その裁断片を指で局部的に伸長して所望の湾曲形状に成形し、必要に応じて所望の色に着色し、その部品を適宜組み合わせて作品を製作する。
【００２４】
図２は本発明を使用した作品の一例としての造花４を示すものである。５は花部であって花弁をかたどった複数の造花部品６を組合わせたものである。また７は葉部であって葉をかたどった造花部品８よりなっている。そしてこれらの花部５及び葉部７を、針金９に紙などの素材を巻いて茎をかたどった茎部１０に取付け、それをさらに組合わせて造花４を構成している。
【００２５】
この造花４を作る具体的手順としては、本発明の手芸用素材１を裁断して花弁又は葉をかたどった造花部品６、８を作り、これを指で局部的に引き延ばして所望の湾曲形状を形成し、これに水彩絵具などにより所望の色彩を施す。そしてこの造花部品６、８を組合わせて花部５及び葉部７を作り、さらにその花部５及び葉部７を茎部１０に取付け、造花４を製作する。また造花４の風合を改善するために、花部５や葉部７にアクリル樹脂などの透明で柔軟な樹脂を塗布することもできる。
【産業上の利用可能性】
【００２６】
本発明の手芸用素材１は、上述の造花４を製作するための素材に限定されるものではなく、本発明の手芸用素材１を使用して、造花のほか各種のポーチなどの袋物や、その他の種々の手芸作品を製作することができる。
【符号の説明】
【００２７】
１  手芸用素材
２ａ、２ｂ  クレープ紙
３  硬化性シリコーン樹脂液
【図１】
2010242252.tif 000003
【図２】
2010242252.tif 000004